【手続補正書】
【提出日】平成16年4月28日(2004.4.28)
【手続補正１】
【補正対象書類名】特許請求の範囲
【補正対象項目名】全文
【補正方法】変更
【補正の内容】
【特許請求の範囲】
【請求項１】
液晶に印加される電圧に対応する画像の各画素の階調値を表す画像データを、前記各画素における階調値の変化に基づいて補正して出力する液晶駆動用画像処理回路であって、
現フレームの画像データを符号化することにより当該現フレームの画像データに対応する符号化画像データを出力する符号化手段と、
前記符号化手段により出力された前記符号化画像データを１フレームに相当する期間遅延する遅延手段と、
前記遅延手段により出力される前記符号化画像データを復号化することにより前記現フレームの１フレーム前の画像データに対応する復号化画像データを出力する復号化手段と、
前記現フレームの画像データ、および前記復号化画像データに基づいて、前記現フレームの画像データの階調値を補正するための補正データを出力する補正データ発生手段と、
前記補正データに基づいて前記現フレームの画像データを補正する補正手段とを備えたことを特徴とする液晶駆動用画像処理回路。
【請求項２】
符号化手段により出力される現フレームの画像データに対応する符号化画像データと、遅延手段により出力される前記現フレームの１フレーム前の画像データに対応する符号化画像データとを比較し、両者が等しい場合に、補正データの値を０とする制限手段をさらに備えたことを特徴とする請求項１に記載の液晶駆動用画像処理回路。
【請求項３】
現フレームの画像データ、および復号化画像データの量子化ビット数を削減することにより、前記現フレームの画像データに対応するビット数変換画像データ、および前記復号化画像データに対応するビット数変換復号化画像データをそれぞれ出力するデータ変換手段を備え、
補正データ発生手段は、前記ビット数変換画像データ、および前記ビット数変換復号化画像データに基づいて補正データを出力することを特徴とする請求項１または２に記載の液晶駆動用画像処理回路。
【請求項４】
現フレームの画像データおよびビット数変換画像データ、ならびに復号化画像データおよびビット数変換復号化画像データに基づいて、前記ルックアップテーブルから読み出される前記補正データの補間値を算出する補間回路とを備え、
補正手段は、前記補正データの補間値に基づいて前記現フレームの画像データを補正することを特徴とする請求項３に記載の液晶駆動用画像処理回路。
【請求項５】
現フレームの画像データ、または復号化画像データの量子化ビット数を削減することにより、前記現フレームの画像データに対応するビット数変換画像データ、または前記復号化画像データに対応するビット数変換復号化画像データを出力するデータ変換手段を備え、
補正データ発生手段は、前記ビット数変換画像データおよび前記復号化画像データ、または前記現フレームの画像データおよび前記ビット数変換後復号化画像データに基づいて補正データを出力することを特徴とする請求項１または２に記載の液晶駆動用画像処理回路。
【請求項６】
現フレームの画像データおよびビット数変換画像データ、または復号化画像データおよびビット数変換復号化画像データに基づいて、前記ルックアップテーブルから読み出される前記補正データの補間値を算出する補間回路とを備え、
補正手段は、前記補正データの補間値に基づいて前記現フレームの画像データを補正することを特徴とする請求項５に記載の液晶駆動用画像処理回路。
【請求項７】
補正データは、液晶が１フレーム期間以内に画像データにより定められる所定の階調値に対応する透過率となるよう設定されることを特徴とする請求項１〜６のいずれか１項に記載の液晶駆動用画像処理回路。
【請求項８】
液晶に印加される電圧に対応する画像の各画素の階調値を表す画像データを、前記各画素における階調値の変化に基づいて補正する画像処理方法であって、
現フレームの画像データを符号化することにより当該現フレームの画像データに対応する符号化画像データを生成し、
前記符号化画像データを１フレームに相当する期間遅延して復号化することにより得られる前記現フレームの１フレーム前の画像データに対応する復号化画像データ、および前記現フレームの画像データに基づいて前記現フレームの画像データを補正することを特徴とする画像処理方法。
【請求項９】
現フレームの画像に対応する符号化画像データと、前記符号化画像データを１フレームに相当する期間遅延して得られる前記現フレームの１フレーム前の画像データに対応する符号化画像データとを比較し、両者が等しい場合に、現フレームの画像データの補正量を０とすることを特徴とする請求項８に記載の画像処理方法。
【請求項１０】
現フレームの画像データ、および復号化画像データの量子化ビット数を削減することにより、前記現フレームの画像データに対応するビット数変換画像データ、および前記復号化画像データに対応するビット数変換復号化画像データをそれぞれ出力し、
前記ビット数変換画像データ、および前記ビット数変換復号化画像データに基づいて前記現フレームの画像データを補正することを特徴とする請求項８または９に記載の画像処理方法。
【請求項１１】
現フレームの画像データ、または復号化画像データの量子化ビット数を削減することにより、前記現フレームの画像データに対応するビット数変換画像データ、または前記復号化画像データに対応するビット数変換復号化画像データを出力し、
前記ビット数変換画像データおよび前記復号化画像データ、または前記現フレームの画像データおよび前記ビット数変換後復号化画像データに基づいて前記現フレームの画像データを補正することを特徴とする請求項８または９に記載の画像処理方法。
【請求項１２】
現フレームの画像データは、液晶が１フレーム期間以内に前記画像データにより定められる階調値に対応する透過率となるよう補正されることを特徴とする請求項８〜１１のいずれか１項に記載の画像処理方法。
【請求項１３】
請求項１〜７のいずれか１項に記載の液晶駆動用画像処理回路を備えたことを特徴とする液晶ディスプレイ装置。
【手続補正２】
【補正対象書類名】明細書
【補正対象項目名】００１２
【補正方法】変更
【補正の内容】
【００１２】
本発明に係る液晶駆動用画像処理回路は、液晶に印加される電圧に対応する画像の各画素の階調値を表す画像データを、前記各画素における階調値の変化に基づいて補正して出力する液晶駆動用画像処理回路であって、
現フレームの画像データを符号化することにより当該現フレームの画像データに対応する符号化画像データを出力する符号化手段と、
前記符号化手段により出力された前記符号化画像データを１フレームに相当する期間遅延する遅延手段と、
前記遅延手段により出力される前記符号化画像データを復号化することにより前記現フレームの１フレーム前の画像データに対応する復号化画像データを出力する復号化手段と、
前記現フレームの画像データ、および前記復号化画像データに基づいて、前記現フレームの画像データの階調値を補正するための補正データを出力する補正データ発生手段と、
前記補正データに基づいて前記現フレームの画像データを補正する補正手段とを備えたものである。
【手続補正３】
【補正対象書類名】明細書
【補正対象項目名】００１３
【補正方法】変更
【補正の内容】
【００１３】
本発明に係る画像処理方法は、液晶に印加される電圧に対応する画像の各画素の階調値を表す画像データを、前記各画素における階調値の変化に基づいて補正する画像処理方法であって、
現フレームの画像データを符号化することにより当該現フレームの画像データに対応する符号化画像データを生成し、
前記符号化画像データを１フレームに相当する期間遅延して復号化することにより得られる前記現フレームの１フレーム前の画像データに対応する復号化画像データ、および前記現フレームの画像データに基づいて前記現フレームの画像データを補正するものである。
【手続補正４】
【補正対象書類名】明細書
【補正対象項目名】００１９
【補正方法】変更
【補正の内容】
【００１９】
補正データ生成器８は、復号化画像データＤｂ１、および復号化画像データＤｂ０に基づいて、現画像の階調値が１フレーム前とで変化する場合、液晶が１フレーム期間内に当該現画像の階調値に対応する透過率となるよう現画像データＤｉ１を補正する補正データＤｃを出力する。